(57)【要約】【課題】    一般的に、ブレスレットと、リコーダとは、全く異なるジャンルに関すもので、相容れないものである。これに関して、本発明は、第１部品を、筒状の半円形状、また、第２・第３部品を、それぞれ筒状の１／４円形状の三部品とし、かつこの三部品を組み合わせることで可能とした。【解決手段】    本発明は、第１部品〜第３部品の三部品であり、第１部品〜第３部品を接合することでブレスレットか、又はリコーダかに、形態変化できる。第１部品を筒状の半円形状を、第２・第３部品は、筒状の１／４円形状を備え、リコーダには、音階用、及び唄口用の孔を備える多機能、かつ多用途を達成できる組付け部品である。形状の変化が期待できる。変化に富み、かつ面白味が期待できる。【選択図】      図１１
2019030408.tif 000002
【特許請求の範囲】
【請求項１】
少なくとも、第１部品〜第３部品の三部品の構成で、この第１部品〜この第３部品を接合し、接合した前記第１部品〜前記第３部品により、ブレスレットか、又はリコーダかに、形態変化可能の組付け部品は、
前記第１部品は、筒状の半円形状を備え、
前記第２・第３部品は、筒状の１／４円形状を備え、
前記リコーダには、音階用、及び唄口用の孔を備えることを特徴とする多機能、かつ多用途を達成できる組付け部品。
【請求項２】
前記第１部品〜前記第３部品は、樹脂製品であり、望ましくは、ＡＢＳ樹脂としたことを特徴とする請求項１に記載の多機能、かつ多用途を達成できる組付け部品。
【請求項３】
前記第１部品〜前記第３部品は、半割れ形状の六部品であり、これらを接着剤を利用して、三部品にしたことを特徴とする請求項１に記載の多機能、かつ多用途を達成できる組付け部品。
【請求項４】
前記第１部品〜前記第３部品は、接合構造であって、この接合構造は、差込み嵌合と、凹凸嵌合との組合せとしたことを特徴とする請求項１に記載の多機能、かつ多用途を達成できる組付け部品。
【請求項５】
前記差込み嵌合は、係止段部を備えた受入れ外輪筒片と、係止段部を備えた差込み内輪筒片とによる第１嵌合関係で、
前記凹凸嵌合は、前記受入れ外輪筒片の段付き内側底部に設けた複数の窪み孔と、前記差込み内輪筒片の天板に設けた複数の突起とによる第２嵌合関係で、
あることを特徴とする請求項４に記載の多機能、かつ多用途を達成できる組付け部品。
【請求項６】
前記第１部品〜前記第３部品は、半割れ形状で、それぞれ同じ横断面形状を呈する六部品であり、この六部品を接着剤で、三部品にしたことを特徴とする請求項１に記載の多機能、かつ多用途を達成できる組付け部品。
【発明の詳細な説明】
【技術分野】
【０００１】
多機能、かつ多用途を達成できる組付け部品であり、この一例では、少なくとも、ブレスレットと、リコーダとに組付けできることを特徴とした多機能、かつ多用途を達成できる組付け部品に関する。
【背景技術】
【０００２】
一般的には、ブレスレットと、リコーダとは、全く異なるジャンルに関するものであって、相容れないものである。しかし、本発明の如く、第１部品を、筒状の半円形状、また、前記第２・第３部品を、それぞれ筒状の１／４円形状の三部品とし、かつこの三部品を組み合わせることで可能とした。
【０００３】
上記の考え方を基として、先行事例（市場製品、先行文献）を検討すると、ブレスレットでは、分割できる構造としては、実用新案登録第３１５８６０５号公報に記載の二分割し、磁石で止める構造である。従って、面白味がなく、一般の形態である。また、リコーダは、音楽を奏でるものであり、音色を大切にすることから、自ずと、笛の類であり、棒状である。例えば、特開２０１３−１２７５９０号公報に記載の指笛が挙げられる。これらも、通常の形態である。さらに、音孔を指で認識し易くするために、隆起環状部を設けた構造として、特開２０１５−４３０６８号公報に記載のリコーダがある。この発明も、単に音孔の構造であり、形状の変化を意図するものでない。
【先行技術文献】
【特許文献】
【０００４】
【特許文献１】実用新案登録第３１５８６０５号公報
【特許文献２】特開２０１３−１２７５９０号公報
【特許文献３】特開２０１５−４３０６８号公報
【発明の概要】
【発明が解決しようとする課題】
【０００５】
上記に鑑み、本発明は、第１部品〜第３部品でなり、しかも、この第１部品〜第３部品を接合、かつ組合せることで、ブレスレットか、又はリコーダかに、組付け可能とした変化に富んだ形状の組付け部品を提供する。
【課題を解決するための手段】
【０００６】
そこで、本発明は、請求項１〜６に記載の構造を提案する。
【発明の効果】
【０００７】
請求項１の発明は、少なくとも、第１部品〜第３部品の三部品の構成で、第１部品〜第３部品を接合し、接合した第１部品〜第３部品により、ブレスレットか、又はリコーダかに、形態変化可能（組換え可能）の組付け部品は、
第１部品は、筒状の半円形状を備え、
第２・第３部品は、筒状の１／４円形状を備え、
リコーダには、音階用、及び唄口用の孔を備える多機能、かつ多用途を達成できる組付け部品である。
【０００８】
従って、第１部品〜第３部品を組合せることで、ブレスレットか、又はリコーダかに変更できることと、リコーダにおいても、形状の変化が期待できる。よって、極めて、変化に富み、かつ面白味が期待できる。
【０００９】
請求項２の発明では、第１部品〜第３部品は、樹脂製品であり、望ましくは、ＡＢＳ樹脂としたことを特徴とする請求項１に記載の多機能、かつ多用途を達成できる組付け部品である。
【００１０】
従って、軽量化に富んだ、多機能、かつ多用途を達成できる組付け部品を提供できる。
【００１１】
請求項３の発明では、第１部品〜第３部品は、半割れ形状の六部品であり、これらを接着剤を利用して、三部品にしたことを特徴とする多機能、かつ多用途を達成できる組付け部品である。
【００１２】
従って、簡易に、かつ誰にでも、多機能、かつ多用途を達成できる組付け部品を提供できる。
【００１３】
請求項４の発明は、第１部品〜第３部品は、接合構造であって、接合構造は、差込み嵌合と、凹凸嵌合との組合せとしたことを特徴とする多機能、かつ多用途を達成できる組付け部品である。
【００１４】
従って、ワンタッチで、かつ誰にでも、多機能、かつ多用途を達成できる組付け部品を提供できる。
【００１５】
請求項５の発明では、差込み嵌合は、係止段部を備えた受入れ外輪筒片と、係止段部を備えた差込み内輪筒片とによる第１嵌合関係で、
凹凸嵌合は、受入れ外輪筒片の段付き内側底部に設けた複数の窪み孔と、差込み内輪筒片の天板に設けた複数の突起とによる第２嵌合関係で、
あることを特徴とする多機能、かつ多用途を達成できる組付け部品である。
【００１６】
従って、組付け後において、誰でも、簡易に、かつ確実に、多機能、かつ多用途を達成できる組付け部品を提供できる。
【００１７】
請求項６の発明では、第１部品〜第３部品は、半割れ形状で、それぞれ同じ横断面形状を呈する六部品であり、六部品を接着剤で、三部品にしたことを特徴とする多機能、かつ多用途を達成できる組付け部品である。
【００１８】
従って、簡易に、かつ誰にでも、多機能、かつ多用途を達成できる組付け部品を提供できる。また、製造コストの低廉化に寄与できる。
【図面の簡単な説明】
【００１９】
【図１−１】本発明に係るブレスレットの正面図
【図１−２】本発明に係るブレスレットの背面図
【図２−１】本発明に係る第１のリコーダの正面図
【図２−２】本発明に係る第１のリコーダの背面図
【図２−３】図２−１の左側面図
【図３−１】本発明に係る第２のリコーダの正面図
【図３−２】本発明に係る第２のリコーダの背面図
【図４−１】第１部品の一例を示した正面図
【図４−２】第１部品の一例を示した背面図
【図５−１】第２部品の一例を示した正面図
【図５−２】第２部品の一例を示した背面図
【図６−１】第３部品の一例を示した正面図
【図６−２】第３部品の一例を示した背面図
【図７−１】図２−１における第３部品と第２部品の一方端との接合を示した、接合する箇所の拡大端面斜視図
【図７−２】図７−１における第３部品の接合箇所の拡大端面俯瞰図
【図７−３】図７−１における第２部品の一方端の接合箇所の拡大端面俯瞰図
【図８−１】図２−１における第２部品と第１部品の一方端との接合を示した、接合する箇所の拡大端面斜視図
【図８−２】図８−１における第２部品の接合箇所の拡大端面俯瞰図
【図８−３】図８−１における第１部品の一方端の接合箇所の拡大端面俯瞰図
【図９−１】本発明の何れかの差込み嵌合と、何れかの凹凸嵌合とにおいて、各凹凸嵌合状態でも、第１〜第３部品を、各部品における円周方向に回転できる一例を示した拡大端面図
【図９−２】図９−１の要部の拡大断面図
【図９−３】図９−１の回転時の状態を模式的に示した端面図
【図１０−１】本発明の何れかの受入れ外輪筒片６と、何れかの差込み内輪筒片９とに設けた、係止段部６２と係止段部９２と、ピン２２とによる第１〜第３部品を、各部品における円周方向に回転できる一例を示した拡大端面図
【図１０−２】図１０−１のピンを設ける一例の俯瞰図
【図１１】本発明の第１のリコーダの使用状態の斜視図
【図１２】本発明のブレスレットの使用状態の斜視図
【発明を実施するための形態】
【００２０】
以下、本発明の好ましい、それぞれの実施例を説明する。
【００２１】
図４−１〜図６−２に示した、一例（以下、省略する）の第１部品１−第３部品３に関して、説明する。この第１部品１−第３部品３は、長手方向Ｘにおいて、二分割に成形し、接着とか嵌合等の手段を利用して、図示のような形状とすることを基本とするが、一体成形も可能である。尚、二分割成形では、コストの低廉化とか、製作の簡易化等が図れる。即ち、実用的な製法である。以下、二分割に成形し、接着等の手段で、一体化した構造で説明する。
【００２２】
図４−１と図４−２の第１部品１は、三部品（環状に形成した状態で、例えば、ブレスレットが相当する）を構成し、かつ環状の長手方向Ｘの中で最も長い曲管１００であって、この曲管１００の（筒状の半円形状）長さは、長手方向Ｘの長さの１／２を呈する。この第１部品１の曲管１００は、表側１００ａに複数個の指孔４及び一つの排気孔７を、また裏側１００ｂに一つの排気孔７’を有する。この排気孔７’は排気孔７と同様の孔であり、排気孔７から曲管１００の径方向において正反対の位置に設けられる。そして、長手方向Ｘの一方端１−１は、排気口５用の開口となっている。排気口５は洗浄時に流水が通ることもできるので、洗浄が容易である。他方端１−２は接合用の受入れ外輪筒片６であり、段付き内側底部６ａには窪み孔６０が複数個、この一例では、４個形成されている。また、受入れ外輪筒片６には、その段付き内側底部６ａに隣接し（開口側には）、受入れ外輪筒片６の内輪側６ｂの肉をえぐることで、凹凸受入れ係止部６１が形成される（凸とは、受入れ外輪筒片６の内輪側６ｂである）。これによって、受入れ外輪筒片６の内輪側６ｂの凹凸境目に係止段部６２が形成されている。
【００２３】
排気孔７、７’についてさらに詳しく説明する。排気孔７、７’は、その合計面積が排気口５の面積と実質的に同じであってよく、排気口５と同様に排気の役割を果たす。製造時にこれら２つの孔の位置を管のＸ方向において前後に移動させる構成も可能である。例えば、排気位置を変化させて、リコーダとしての管の長さ（吹き口から排気口までの長さ）を自在に変更できる実益がある。すなわち、ブレスレットとしての物理的な形状、長さを維持したまま、２つの孔の位置調整により、リコーダとして機能する長さを変更して、音程調整ができる。この構造は、（例えばブルースハープのように）多様な音程キーのリコーダの製造を、鋳型や鋳造工程の大きな変更を伴わずに、簡易かつ経済的に行うことができる。また別の例として、排気孔７、７’より後（排気口５）側の長さを変えることにより、音程キーを容易に調整しつつ、リコーダ及びブレスレット自体のサイズバリエーションを変えることも可能である。なお、本明細書では、排気孔７、７’及び排気口５が全て開口している実施形態を説明したが、いずれかを塞いだ構造、例えば、排気口５を塞いだ構造も可能である。そして、排気孔７、７’及び排気口５の位置、形状、サイズ等は、本明細書の実施形態に限定されない。
【００２４】
図５−１と図５−２の第２部品２は、三部品（環状に形成した状態で、例えば、ブレスレットが相当する）を構成し、かつ環状の長手方向Ｘの次の長さを有する中の曲管２００であって、この曲管２００（筒状の１／４円形状）の長さは、長手方向Ｘの長さの１／４を呈する。この第２部品２の曲管２００の表側２００ａに一つの指孔８を、裏側２００ｂには複数個の指孔１１を有する。そして、一方端２−１は接合用の受入れ外輪筒片６であり、段付き内側底部６ａには窪み孔６０が複数個、この一例では、４個形成されている。また、長手方向Ｘの他方端２−２は、接合用の差込み内輪筒片９であり、天板９ａには突起９０が複数個、この一例では、２個形成されている。この差込み内輪筒片９の外輪側９ｂの肉をえぐることで、凹凸差込み係止部９１が形成される（凸とは、差込み内輪筒片９の外輪側９ｂである）。これによって、差込み内輪筒片９の外輪側９ｂの凹凸境目に係止段部９２が形成されている。その他は、第１部品１の受入れ外輪筒片６に準ずる。
【００２５】
図６−１と図６−２の第３部品３は、三部品（環状に形成した状態で、例えば、ブレスレットが相当する）を構成し、かつ環状の長手方向Ｘの別の長さを有する中の曲管３００（曲管２００と同じ）であって、この曲管３００の長さは、長手方向Ｘの長さの１／４を呈する。この第３部品３の曲管３００の表側３００ａに一つの窓孔１０を有し、裏側３００ｂは無垢である。そして、長手方向Ｘの他方端３−２は、接合用の受入れ外輪筒片６であり、段付き内側底部６ａには窪み孔６０が複数個、この一例では、４個形成されている。その他は、第１部品１の受入れ外輪筒片６に準ずる。また一方端３−１は、吹き口１２用の開口となっている。
【００２６】
そして、前述した受入れ外輪筒片６、及び／又は、差込み内輪筒片９を設ける箇所は図示の例に限定されない。即ち、第１部品１〜第３部品３の何れの箇所に設けるかは、接合関係が確保される形態であれば、必要により、変更することも有り得る。
【００２７】
尚、第１部品１の受入れ外輪筒片６は、第２部品２と第３部品３の受入れ外輪筒片６と同じ符号と構成である。また、第２部品２の差込み内輪筒片９は、第３部品３の差込み内輪筒片９と同じ符号と構成である。
【００２８】
この第１部品１〜第３部品３の組合せに関して説明する。先ず、第１部品１の他方側１−２に、第２部品２の一方側２−１を接合するには、第１部品１の他方側１−２にある受入れ外輪筒片６の内輪側６ｂに、第２部品２の一方端２−１の差込み内輪筒片９を差込むことで、この第１部品１の他方端１−２に、この第２部品２の一方端２−１が支持されるとともに、第１部品１の凹凸受入れ係止部６１に第２部品２の凹凸差込み係止部９１が係止され、第１部品１の係止段部６２に、第２部品２の係止段部９２が係止される。併せて、第１部品１の段付き内側底部６ａの４個の内の２個の窪み孔６０に、第２部品２の天板９ａの２個の突起９０が遊嵌される。差込み（嵌合）と、差込み係止、及び遊嵌とにより、第１部品１に第２部品２が取付けられる。続いて、第２部品２の他方端２−２に、第３部品３の一方端３−１を接合するには、第２部品２の他方端２−２にある受入れ外輪筒片６の内輪側６ｂに、第３部品３の一方端３−１の差込み内輪筒片９を差込むことで、この第２部品２の他方端２−２に、この第３部品３の一方端３−１が支持されるとともに、第２部品２の凹凸受入れ係止部６１に第３部品３の凹凸差込み係止部９１に係止され、第２部品２の係止段部６２に、第３部品３の係止段部９２が係止される。併せて、第２部品２の段付き内側底部６ａの４個の内の２個の窪み孔６０に、第３部品２の天板９ａの２個の突起９０が遊嵌される。差込み（嵌合）と、差込み係止、及び遊嵌とにより、第２部品２に第３部品３が取付けられる。
【００２９】
前述した係止段部６２を備えた受入れ外輪筒片６と係止段部９２を備えた差込み内輪筒片９とが、請求項に開示した差込み嵌合で、第１嵌合関係である。また、窪み孔６０と突起９０が、請求項に開示した凹凸嵌合で、第２嵌合関係である。何れも、それぞれ一例である。尚、差込み嵌合と凹凸嵌合とを総称する際に、略して嵌合関係とする。
【００３０】
また、前記凹凸受入れ係止部６１と凹凸差込み係止部９１との組み合わせと、窪み孔６０と突起９０との組み合わせは、それぞれ嵌合関係でも、第１〜第３部品１〜３は、それぞれ回転（回転とは、長手方向Ｘに直交する方向の回転であり、第１部品１〜第３部品３の回転方向Ｙによる形態の変化）が自由であり、その一例を、図９−１と、図９−２とに示す。まず、受入れ外輪筒片６の深さ（長手方向Ｘの長さ）と、差込み内輪筒片９の長さ（長手方向Ｘの長さ）とを同じとし、この両者が嵌合した際には、窪み孔６０と突起９０とが接触し、かつ受入れ外輪筒片６の係止段部６２と、差込み内輪筒片９の係止段部９２との間に環状の隙間２０が形成される。そして、この隙間２０には伸縮性の環状パッキン２１を設ける。従って、第２部品２を長手方向Ｘの方向に引張すると、パッキン２１が圧縮されるとともに、窪み孔６０と突起９０との凹凸嵌合が無くなり、第２部品２は、回転ができる。後述するが、二つの突起９０を有する第２部品２と第３部品３は、それぞれ第１部品１と第２部品２を起点に（基に）回転し形状を変え得る構造である。尚、窪み孔６０は、四個の深い窪み６０ａと、深い窪み６０ａを連繋する環状の浅い窪み６０ｂとを備えている。深い窪み６０ａは、突起９０との嵌合を図るためであり、浅い窪み６０ｂは、突起９０との嵌合関係の解除と、突起９０の回転方向を誘導する役割とを備える。従って、前述の窪み孔６０と突起９０との凹凸嵌合を解除するには、窪み孔６０の浅い窪み６０ｂを利用して突起９０を回転方向Ｙに向かって移動する。以上の操作で、第１部品１〜第３部品３の形態を変化できる。
【００３１】
また、他の例を、図１０−１と図１０−２とに示す。この例では、受入れ外輪筒片６の凹凸受入れ係止部６１の係止段部６２と、差込み内輪筒片９の凹凸差込み係止部９１の係止段部９２との係止関係（接合）と、この受入れ外輪筒片６とこの差込み内輪筒片９との固定確保、又は回転容認とを、それぞれ図る抜差し自在のピン２２を用いる。即ち、ピン２２の差込みで、固定できる（例えば、第１部品１〜第３部品３を固定できる）。また、ピン２２を脱抜することで、回転できる（例えば、第１部品１〜第３部品３を回転できる）。尚、図示しないが、ピン２２を差込む位置は、第１部品１〜第３部品３の形態を想定して、決められている。
【００３２】
図示しないが、その他の嵌合関係の固定と、その解除とは、第１部品１〜第３部品３を可撓性の樹脂とすることでも達成可能である。また、差込み嵌合とか凹凸嵌合とかは、形態を変更することで、第１部品１〜第３部品３の形態の変化を図ることも可能である。さらに凹凸嵌合は、図示しないが、ワンウエイラチェット、ワンウェイクラッチ等の機構も採用できる。この際に、ピン２２を併用して固定することも有効である。
【００３３】
以上の第１〜第３部品１〜３を組合せて、各器具又は道具等の品物を構成するので、好ましい、一例を挙げて、順に説明する。
【００３４】
図１−１と図１−２とに示したブレスレットに関しては、例えば、第１部品１の他方端１−２と、第２部品２の一方端２−１とが接合し、第２部品２の他方端２−２と第３部品３の一方端３−１とが、それぞれ接合状態で、一本の曲面形態である。この状態より、希望するブレスレットとする。その一例を説明すると、例えば、第１部品１の他方端１−２の受入れ外輪筒片６と、第２部品２の差込み内輪筒片９とが接合状態において、例えば、第２部品２を回転して、図のように、第１部品１の他方側１−２に環状になるように回転する。これにより、恰も、第２部品２が、第１部品１の延長線上に位置する。続いて、第２部品２の他方端２−２の受入れ外輪筒片６と、第３部品３の差込み内輪筒片９とが接合状態において、例えば、第３部品３を回転して、図のように、第２部品２の他方側２−２に環状になるように回転する。これにより、恰も、第３部品３が、第２部品２の延長線上に位置するとともに、この第３部品３の他方端３−２の吹き口１２が、前記第１部品１の一方端１−１の排気口５に近接、かつ合致するようになる。この状態が、図示のブレスレットで有り、図１２に示してある。
【００３５】
図２−１〜図２−３に示した第１のリコーダに関しては、例えば、第３部品３の一方端３−１の受入れ外輪筒片６と、第２部品２の差込み内輪筒片９とが接合状態において、例えば、第２部品２を回転して、図のように、第２部品２を、第３部品３の他方部位３−３の曲がりに沿った形態になるように回転する。これにより、恰も、第２部品２の一方部位２−４は、は、第３部品３の延長線上であって、かつ反り返った位置（反り返った反対位置）になる。続いて、第１部品１の他方端１−２の受入れ外輪筒片６と、第３部品３の差込み内輪筒片９とが接合状態において、例えば、第１部品１を回転して、図のように、第１部品１の他方部位１−３を、第２部品２の他方部位２−３の外曲がりに沿った形態になるように回転する。これにより、恰も、第１部品１の他方部位１−３は、第２部品２の他方部位２−３の外曲りの延長線上であって、かつ反り返った位置になる。また、第１部品１の他方端１−２の排気口５は、第３部品３の吹き口１２と同じ側であり、また、吹く方向と排気方向とは、矢印の如く、逆である。この状態が、図示の第１のリコーダで有り、図１１に示してある。
【００３６】
図３−１〜図３−２に示した第２のリコーダに関しては、例えば、第３部品３の一方端３−１の受入れ外輪筒片６と、第２部品２の差込み内輪筒片９とが接合状態において、例えば、第２部品２を回転して、図のように、第２部品２を、第３部品２の他方部位３−３の曲がり沿った形態になるように回転する。これにより、恰も、第２部品２の一方部位２−４は、は、第３部品３の延長線上であって、かつ反り返った位置（反り返った反対位置）になる。続いて、第１部品１の他方端１−２の受入れ外輪筒片６と、第３部品３の差込み内輪筒片９とが接合状態において、例えば、第１部品１を回転して、図のように、第１部品１の他方部位１−３を、第２部品２の他方部位２−１の内曲がり沿った形態になるように回転する。これにより、恰も、第１部品１の他方部位１−３は、第２部品２の他方部位２−３の内曲りの延長線上であって、かつ反り返った位置になる。また、第１部品１の一方端部１−４の排気口５は、第３部品３の吸込み口１２と対峙する側であり、また、吹く方向と排気方向とは、矢印の如く、対峙する方向である。この状態は図示しない。
【００３７】
前述の図１−１と図１−２に示したブレスレットとか、図２−１〜図３−２に示したリコーダとかの形態に変化できる。この形態変化は、図４−１〜図６−２に示した第１物品〜第３物品１〜３と、図７−１〜図８−３の受入れ外輪筒片６と差込み内輪筒片９との凹凸関係との組合せの結果である。従って、図１０−１と図１０−２との第１嵌合関係を利用した場合は、更なる形態変化が可能である。その他のワンウエイラチェット、ワンウェイクラッチ等の機構を採用することでも、その他の形態変化が可能である。
【００３８】
以上で説明した各実施例は、好ましい一例を示したものであり、同様な効果と特徴を有する他の構造、手段は、本発明の範疇である。
【符号の説明】
【００３９】
１  第１部品
１−１  一方端
１−２  他方端
１−３  他方部位
１−４  一方部位
１００  曲管
１００ａ  表側
１００ｂ  裏側
２  第２部品
２−１  一方端
２−２  他方端
２−３  他方部位
２−４  一方部位
２０  隙間
２１  環状パッキン
２２  ピン
２００  曲管
２００ａ  表側
２００ｂ  裏側
３  第３部品
３−１  一方端
３−２  他方端
３−３  他方部位
３００  曲管
３００ａ  表側
３００ｂ  裏側
４  指孔
５  排気口
６  受入れ外輪筒片
６ａ  段付き内側底部
６ｂ  内輪側
６０  窪み孔
６０ａ  深い窪み
６０ｂ  浅い窪み
６１  凹凸受入れ係止部
６２  係止段部
７、７’  排気孔
８  指孔
９  差込み内輪筒片
９ａ  天板
９ｂ  外輪側
９０  突起
９１  凹凸差込み係止部
９２  係止段部
１０  窓孔
１１  指孔
１２  吹き口
Ｘ  長手方向
Ｙ  回転方向
【図１−１】
2019030408.tif 000003
【図１−２】
2019030408.tif 000004
【図２−１】
2019030408.tif 000005
【図２−２】
2019030408.tif 000006
【図２−３】
2019030408.tif 000007
【図３−１】
2019030408.tif 000008
【図３−２】
2019030408.tif 000009
【図４−１】
2019030408.tif 000010
【図４−２】
2019030408.tif 000011
【図５−１】
2019030408.tif 000012
【図５−２】
2019030408.tif 000013
【図６−１】
2019030408.tif 000014
【図６−２】
2019030408.tif 000015
【図７−１】
2019030408.tif 000016
【図７−２】
2019030408.tif 000017
【図７−３】
2019030408.tif 000018
【図８−１】
2019030408.tif 000019
【図８−２】
2019030408.tif 000020
【図８−３】
2019030408.tif 000021
【図９−１】
2019030408.tif 000022
【図９−２】
2019030408.tif 000023
【図９−３】
2019030408.tif 000024
【図１０−１】
2019030408.tif 000025
【図１０−２】
2019030408.tif 000026
【図１１】
2019030408.tif 000027
【図１２】
2019030408.tif 000028